(57)【要約】【課題】探知信号がトランスポンダに到達してから当該トランスポンダが応答信号を送信するまでの遅延時間を正確に取得できるレーダ装置を提供する。【解 決手段】レーダ装置は、応答信号検出部と、トランスポンダ反射波検出部と、応答遅延取得部と、を備える。前記応答信号検出部は、アンテナから送信した探知 信号の反射波を受信した受信信号から、前記探知信号に反応してトランスポンダが送信する応答信号を検出する。前記トランスポンダ反射波検出部は、前記受信 信号において前記応答信号より早いタイミングで現れる反射波を前記トランスポンダの反射波として検出する。前記応答遅延取得部は、前記反射波と前記応答信 号との時間差に基づいて前記トランスポンダの応答遅延を取得する。【選択図】図１
2019049648.tif 000002
【特許請求の範囲】
【請求項１】
アンテナから送信した探知信号の反射波を受信した受信信号から、前記探知信号に反応してトランスポンダが送信する応答信号を検出する応答信号検出部と、
前記受信信号において前記応答信号より早いタイミングで現れる反射波を前記トランスポンダの反射波として検出するトランスポンダ反射波検出部と、
前記反射波の受信タイミングと前記応答信号の受信タイミングとの時間差に基づいて前記トランスポンダの応答遅延を取得する応答遅延取得部と、
を備えることを特徴とするレーダ装置。
【請求項２】
請求項１に記載のレーダ装置であって、
前記トランスポンダ反射波検出部は、前記受信信号において前記応答信号の先頭タイミングとの時間差が所定以内となるタイミングで現れる反射波を、前記トランスポンダの反射波として検出することを特徴とするレーダ装置。
【請求項３】
請求項１又は２に記載のレーダ装置であって、
前記トランスポンダの応答信号には疑似雑音符号が含まれ、
前記応答信号検出部は、前記受信信号と前記疑似雑音符号の相関が所定以上になったタイミングに基づいて、前記応答信号の先頭タイミングを取得することを特徴とするレーダ装置。
【請求項４】
請求項１から３までの何れか一項に記載のレーダ装置であって、
前記トランスポンダ反射波検出部は、前記受信信号において現れる反射波のうち、現れてから消えるまでの時間の長さが所定の範囲内である反射波を、前記トランスポンダの反射波として検出し、
前記所定の範囲に、パルス状である前記探知信号の送信時間が含まれることを特徴とするレーダ装置。
【請求項５】
請求項１から４までの何れか一項に記載のレーダ装置であって、
前記トランスポンダ反射波検出部は、複数のスイープを処理することにより前記トランスポンダの反射波を検出することを特徴とするレーダ装置。
【請求項６】
請求項１から５までの何れか一項に記載のレーダ装置であって、
前記応答信号検出部が検出した応答信号から、前記トランスポンダの位置を示す位置情報を取得する位置情報取得部と、
前記探知信号を送信してから前記応答信号を受信するまでの時間である応答時間を取得する応答時間取得部と、
前記位置情報、前記応答時間、及び前記応答遅延に基づいて自機の位置を取得する測位部と、
を備えることを特徴とするレーダ装置。
【請求項７】
探知信号の電波をアンテナから送信し、
前記探知信号がトランスポンダに反射した反射波を前記アンテナで受信し、
前記探知信号に反応して前記トランスポンダが送信した電波である応答信号を前記アンテナで受信し、
前記反射波の受信タイミングと、前記応答信号の受信タイミングと、の時間差に基づいてトランスポンダ応答遅延を取得することを特徴とするトランスポンダ応答遅延の取得方法。
【発明の詳細な説明】
【技術分野】
【０００１】
本発明は、主として、レーダ装置に関する。
【背景技術】
【０００２】
従来から、船舶において、トランスポンダの一種であるレーダビーコンを用いて測位を行うことが提案されている。特許文献１は、この種のレーダ装置を開示する。【０００３】
特許文献１のレーダ測位システムでは、船舶の航路標識の一種であるレーダビーコン（レーコン）が、船舶からのレーダ波に応答してレーコン応答波を船舶に送 信する。レーコン応答波には、プリアンブルとしてのレーコン識別情報と、レーコンの緯度及び経度を含むレーコン位置情報と、が含まれる。【０００４】
特許文献１において、レーダ送受信機は、レーコン応答波を受信した場合、レーコン識別情報の受信時点を特定するとともに、その時刻からレーコン応答遅延を 減算して、レーコン応答波の到達時点を示す時刻を算定する。ここで、レーコン応答遅延とは、レーコンがレーダ波を受信してからレーコン応答波を送信するま でに要する処理時間である。そして、レーダ送受信機は、レーダ波の送信時点からレーコン応答波の到達時点までの時間差に対してレーダ波の進行速度を乗算す るとともに、２で除算して、レーダ送受信機からレーコンまでの距離を算出する。
【先行技術文献】
【特許文献】
【０００５】
【特許文献１】特開２０１３−１４２６６１号公報
【発明の概要】
【発明が解決しようとする課題】
【０００６】
レーダ送受信機からレーコンまでの距離を精度良く求めるためには、正確なレーコン応答遅延を取得することが重要である。しかしながら、レーコン応答遅延 は、レーコンの機種毎に異なり、また個体差も生じている。この点、特許文献１は、レーコン応答遅延をどのように求めるかについて開示しておらず、測位精度 の向上という点で改善の余地があった。【０００７】
本発明は以上の事情に鑑みてされたものであり、その目的は、探知信号がトランスポンダに到達してから当該トランスポンダが応答信号を送信するまでの遅延時間を正確に取得できるレーダ装置を提供することにある。
【課題を解決するための手段及び効果】
【０００８】
本発明の解決しようとする課題は以上の如くであり、次にこの課題を解決するための手段とその効果を説明する。
【０００９】
本発明の第１の観点によれば、以下の構成のレーダ装置が提供される。即ち、このレーダ装置は、応答信号検出部と、トランスポンダ反射波検出部と、応答遅延 取得部と、を備える。前記応答信号検出部は、アンテナから送信した探知信号の反射波を受信した受信信号から、前記探知信号に反応してトランスポンダが送信 する応答信号を検出する。前記トランスポンダ反射波検出部は、前記受信信号において前記応答信号より早いタイミングで現れる反射波を前記トランスポンダの 反射波として検出する。前記応答遅延取得部は、前記反射波と前記応答信号との時間差に基づいて前記トランスポンダの応答遅延を取得する。
【００１０】
これにより、機種及び個体差等の原因でトランスポンダの応答遅延が様々に異なる場合でも、レーダ装置が、反射波及び応答信号に基づいて応答遅延をその場で 取得することができる。従って、簡素な構成で、レーダ装置とトランスポンダとの間の距離を正確に取得することができる。
【００１１】
前記のレーダ装置においては、前記トランスポンダ反射波検出部は、前記受信信号において前記応答信号の先頭タイミングとの時間差が所定以内となるタイミングで現れる反射波を、前記トランスポンダの反射波として検出することが好ましい。
【００１２】
これにより、トランスポンダの応答遅延は通常は所定の長さ以下であることを利用して、トランスポンダの反射波を正確に検出することができる。
【００１３】
前記のレーダ装置においては、以下の構成とすることが好ましい。即ち、前記トランスポンダの応答信号には疑似雑音符号が含まれる。前記応答信号検出部は、 前記受信信号と前記疑似雑音符号の相関が所定以上になったタイミングに基づいて、前記応答信号の先頭タイミングを取得する。
【００１４】
これにより、疑似雑音符号が信号中の一定の位置に現れる構造を応答信号が有している場合に、応答信号の先頭タイミングを正確に取得することができる。
【００１５】
前記のレーダ装置においては、以下の構成とすることが好ましい。即ち、前記トランスポンダ反射波検出部は、前記受信信号において現れる反射波のうち、現れ てから消えるまでの時間の長さが所定の範囲内である反射波を、前記トランスポンダの反射波として検出する。前記所定の範囲に、パルス状である前記探知信号 の送信時間が含まれる。
【００１６】
これにより、トランスポンダが小型であり、点状の信号反射源とみなせる場合に、トランスポンダの反射波を正確に検出することができる。
【００１７】
前記のレーダ装置においては、前記トランスポンダ反射波検出部は、複数のスイープを処理することにより前記トランスポンダの反射波を検出することが好ましい。
【００１８】
これにより、受信信号に含まれるノイズの影響を抑制して、トランスポンダの反射波を正確に検出することができる。
【００１９】
前記のレーダ装置においては、以下の構成とすることが好ましい。即ち、このレーダ装置は、位置情報取得部と、応答時間取得部と、測位部と、を備える。前記 位置情報取得部は、前記応答信号検出部が検出した応答信号から、前記トランスポンダの位置を示す位置情報を取得する。前記応答時間取得部は、前記探知信号 を送信してから前記応答信号を受信するまでの時間である応答時間を取得する。前記測位部は、前記位置情報、前記応答時間、及び前記応答遅延に基づいて自機 の位置を取得する。
【００２０】
これにより、応答遅延の影響を正確に考慮した測位を行うことができるので、測位精度を大幅に向上させることができる。
【００２１】
本発明の第２の観点によれば、以下のトランスポンダ応答遅延の取得方法が提供される。即ち、探知信号の電波をアンテナから送信する。前記探知信号がトラン スポンダに反射した反射波を前記アンテナで受信する。前記探知信号に反応して前記トランスポンダが送信した電波である応答信号を前記アンテナで受信する。 前記反射波の受信タイミングと、前記応答信号の受信タイミングと、の時間差に基づいてトランスポンダ応答遅延時間を取得する。
【００２２】
これにより、機種及び個体差等の原因でトランスポンダの応答遅延が様々に異なる場合でも、反射波及び応答信号に基づいて応答遅延をその場で取得することができる。従って、簡素な構成で、トランスポンダとの間の距離を正確に取得することができる。
【図面の簡単な説明】
【００２３】
【図１】本発明の一実施形態に係るレーダ装置及びレーコンの構成を示すブロック図。
【図２】レーコンが送信する応答信号のパケット構成図。
【図３】レーダ装置とレーコンとの間で電波の送受信が行われるタイミングを示すグラフ。
【図４】変形例において、反射波が検出される複数スイープ分の受信信号を示すグラフ。
【発明を実施するための形態】
【００２４】
次に、図面を参照して本発明の実施の形態を説明する。図１は、本発明の一実施形態に係るレーダ装置１及びレーコン３の構成を示すブロック図である。
【００２５】
図１に示すレーダ装置１は、移動体としての図略の船舶に備えられている。レーダ装置１は、電波である探知信号をレーダアンテナ（アンテナ）１２から送信し、レーダアンテナ１２で反射波を受信することで周囲の物標を探知する。
【００２６】
レーコン（トランスポンダ）３は、レーダ装置１の探知信号に反応して、電波である応答信号をレーコンアンテナ３２からレーダ装置１へ送信する。この応答信 号には、レーコン３の位置を例えば緯度及び経度で表した位置情報が含まれている。レーダ装置１は、レーコン３の応答信号等に基づいて、自機の位置を求める ことができる。
【００２７】
レーコン３を説明する。図１に示すように、レーコン３は、送信部３１と、レーコンアンテナ３２と、サーキュレータ３３と、受信部３４と、位置情報記憶部３５と、送信波形生成部３６と、待機時間記憶部３７と、を備える。
【００２８】
具体的に説明すると、レーコン３は図略のコンピュータを備えており、このコンピュータはＣＰＵ、ＲＯＭ、ＲＡＭ等を備える。前記ＲＯＭには、レーコン３ に、探知信号に反応して応答信号を送信させる適宜のプログラムが記憶されている。このソフトウェアとハードウェアの協働により、レーコン３を、送信部 ３１、受信部３４、位置情報記憶部３５、送信波形生成部３６、及び待機時間記憶部３７等として機能させることが可能となっている。
【００２９】
送信部３１は、レーダ装置１からの探知信号を後述の受信部３４が受信した場合に、当該探知信号に応答する応答信号を、サーキュレータ３３を介してレーコンアンテナ３２に出力する。
【００３０】
レーコンアンテナ３２は、送信部３１から入力された応答信号を電波として外部に放射する。また、レーコンアンテナ３２は、レーダ装置１の探知信号を受信する。
【００３１】
サーキュレータ３３は、送信部３１から入力された応答信号をレーコンアンテナ３２へ出力する。また、サーキュレータ３３は、レーコンアンテナ３２が受信した探知信号を受信部３４へ出力する。
【００３２】
受信部３４は、サーキュレータ３３を介してレーコンアンテナ３２から探知信号を受信する。受信部３４は、探知信号を検出すると、当該探知信号の受信終了タ イミングを取得する。探知信号の受信終了タイミングは、例えば探知信号がパルス状である場合は、パルスの立下がりのエッジを検出することにより得ることが できる。受信部３４は、取得した探知信号の受信終了タイミングを送信部３１に出力する。
【００３３】
位置情報記憶部３５は、予め設定されたレーコン３の位置情報、具体的には、レーコン３の位置を示す緯度及び経度を記憶する記憶部として構成されている。位置情報記憶部３５は、レーコン３の位置情報を送信波形生成部３６に出力する。
【００３４】
送信波形生成部３６は、位置情報記憶部３５から入力した位置情報を含むようにパケットを生成し、当該パケットに対して適宜の変調処理を行うことにより、送 信部３１が送信する応答信号の波形を生成する。送信波形生成部３６は、生成した応答信号の波形を送信部３１に出力する。
【００３５】
待機時間記憶部３７は、応答信号を送信するタイミング、具体的には、レーコン３が探知信号の受信を終了してから応答信号を送信するまでの待機時間を記憶す る記憶部として構成されている。待機時間記憶部３７には、レーコン３を稼動させる前に、前記待機時間として適宜の値が予め設定される。待機時間記憶部３７ は、記憶している待機時間を送信部３１に出力する。
【００３６】
以上の構成で、レーコン３の受信部３４が探知信号を受信すると、送信 部３１は、受信部３４から入力した探知信号の受信終了タイミングから、待機時間記憶部３７が記憶する待機時間だけ待機する。この待機が完了するのと同時 に、送信部３１は、送信波形生成部３６から入力される送信波形を、応答信号として、サーキュレータ３３を介してレーコンアンテナ３２から外部へ送信する。
【００３７】
次に、図２を参照して、レーコン３が送信する応答信号について詳細に説明する。図２は、応答信号のパケット構成図である。
【００３８】
図２には、レーコン３が送信する応答信号を表すパケットのフォーマットが例示されている。図２（ａ）は緯度について応答する場合、図２（ｂ）は経度につい て応答する場合のパケットをそれぞれ示している。何れの場合も、応答信号は合計８０ビットの長さを有するデジタル信号であり、そのうちの先頭の３２ビット がプリアンブル部、それに続く３２ビットが情報部、最後の１６ビットが誤り検出部となっている。
【００３９】
プリアンブル部は、３２ ビットのうち前半の１６ビットがトレーニングシーケンス、後半の１６ビットがスタートシーケンスとなっている。トレーニングシーケンスは、０と１が交互に 現れるビット列で構成される。スタートシーケンスは、疑似雑音符号の一種であるＭ系列符号のビット列で構成される。
【００４０】
情報 部は、レーコン３の位置を示す情報を記述する部分である。緯度について応答する場合、情報部は図２（ａ）に示すように、"０００００"という５ビットの ビット列の後に、緯度の数値を表す２７ビットのビット列が付加されたものとなる。経度について応答する場合、情報部は図２（ｂ）に示すように、 "１０００"という４ビットのビット列の後に、経度の数値を表す２８ビットのビット列が付加されたものとなる。
【００４１】
誤り検出部は、情報部の内容に対して公知の巡回冗長検査（ＣＲＣ）の方法で計算した１６ビットのチェックサム値となっている。
【００４２】
レーダ装置１を説明する。図１に示すように、レーダ装置１は、送信部１１と、レーダアンテナ１２と、サーキュレータ１３と、受信部１４と、映像生成部１５ と、応答信号検出部１６と、位置情報取得部１７と、レーコン方位取得部１８と、応答時間取得部１９と、レーコン反射波検出部（トランスポンダ反射波検出 部）２０と、応答遅延取得部２１と、測位部２２と、を備える。
【００４３】
具体的に説明すると、レーダ装置１は図略のコンピュータを 備えており、このコンピュータはＣＰＵ、ＲＯＭ、ＲＡＭ等を備える。前記ＲＯＭには、後述するレーコン応答遅延の取得方法及び測位方法を実現するためのプ ログラムが記憶されている。このソフトウェアとハードウェアの協働により、レーダ装置１を、送信部１１、受信部１４、映像生成部１５、応答信号検出部 １６、位置情報取得部１７、レーコン方位取得部１８、応答時間取得部１９、レーコン反射波検出部２０、応答遅延取得部２１及び測位部２２等として機能させ ることが可能となっている。
【００４４】
レーダ装置１には、表示部９１と、方位センサ９２と、が電気的に接続されている。
【００４５】
表示部９１は、例えば液晶ディスプレイとして構成されており、画面に各種の情報を表示することができる。
【００４６】
方位センサ９２は、例えば磁気方位センサ又はジャイロコンパス等により構成されている。方位センサ９２は船舶の適宜の位置に取り付けられており、船首方位（船首が向いている方向）を、地球基準の絶対的な方位で検出することができる。
【００４７】
送信部１１は、探知信号を生成する。本実施形態において送信部１１には半導体素子が用いられているが、これに代えてマグネトロンが用いられても良い。送信部１１は、生成した探知信号を増幅して、サーキュレータ１３を介してレーダアンテナ１２に出力する。
【００４８】
レーダアンテナ１２は、所定の周期で水平面内を回転しながら、送信部１１から入力された探知信号を電波として外部に放射する。また、レーダアンテナ１２ は、送信した探知信号が反射した反射波を受信する。以下の説明では、レーダアンテナ１２によってパルス状の探知信号を１回送信して反射波を受信する動作 を、スイープと呼ぶことがある。レーダ装置１は、レーダアンテナ１２を回転させながらスイープを短い時間間隔で反復することにより、３６０°にわたって周 囲の物標を探知する。
【００４９】
サーキュレータ１３は、送信部１１から入力された探知信号をレーダアンテナ１２へ出力する。また、 サーキュレータ１３は、レーダアンテナ１２が受信した反射波を、受信信号として受信部１４へ出力する。この受信信号には、レーコン３が送信した応答信号が 含まれる場合がある。
【００５０】
受信部１４は、サーキュレータ１３を介してレーダアンテナ１２から受信信号を受信する。受信部１４ は、入力された受信信号に対して各種の信号処理を行う。この信号処理には、増幅処理等を挙げることができるが、これに限られない。受信部１４は、処理した 受信信号を、映像生成部１５、応答信号検出部１６、及びレーコン反射波検出部２０に出力する。
【００５１】
映像生成部１５は、受信部 １４から入力された受信信号に対して、各種の信号処理を行う。この信号処理としては、公知のクラッタ抑圧処理及び感度調整処理等を挙げることができるが、 これに限られない。映像生成部１５は、上記の信号処理が行われた後の信号に基づいてレーダ映像を生成する。映像生成部１５は、生成したレーダ映像を、レー ダ装置１に電気的に接続された表示部９１に表示する。表示部９１は、例えば液晶等からなるディスプレイとして構成することができる。
【００５２】
応答信号検出部１６は、受信部１４から入力された受信信号から、レーコン３からの応答信号を検出する。受信信号から応答信号を検出できた場合は、応答信号検出部１６は、当該応答信号の先頭タイミングを計算により取得する。
【００５３】
応答信号検出部１６は、検出した応答信号を位置情報取得部１７に出力する。また、応答信号検出部１６は、１スイープ分の受信信号を処理する毎に、レーコン ３からの応答信号が当該受信信号に含まれていたか否かを示す情報を、レーコン方位取得部１８に出力する。更に、応答信号検出部１６は、処理した受信信号に 応答信号が含まれていた場合に、取得した応答信号の先頭タイミングを、応答時間取得部１９、レーコン反射波検出部２０、及び、応答遅延取得部２１に出力す る。
【００５４】
位置情報取得部１７は、応答信号検出部１６から入力された応答信号を復調し、図２に示す情報部の内容を取り出すこと により、当該応答信号に含まれる位置情報、具体的には、当該レーコン３の緯度及び経度を取得する。このとき、位置情報取得部１７は、応答信号の末尾の誤り 検出部に基づいてＣＲＣチェックを行い、取得した情報部の内容に誤りがないことを確認する。位置情報取得部１７は、得られた位置情報を測位部２２に出力す る。
【００５５】
レーコン方位取得部１８は、応答信号検出部１６から入力された情報に基づいて、レーコン３の自機に対する相対方位を 取得する。この相対方位は、応答信号が含まれるスイープに相当する方位として求めることができる。また、複数のスイープから応答信号が検出された場合は、 当該複数のスイープに相当する方位の範囲を２等分する方位とすることができる。
【００５６】
応答時間取得部１９は、応答信号検出部 １６から入力される応答信号の先頭タイミングに基づいて、レーダアンテナ１２が探知信号を送信してからレーコン３の応答信号を受信するまでの時間（以下、 応答時間と呼ぶことがある。）を取得する。応答時間取得部１９は、取得した応答時間を測位部２２に出力する。
【００５７】
レーコン反 射波検出部２０は、受信部１４から入力された受信信号から、応答信号検出部１６から入力された応答信号の先頭タイミングより早いタイミングで現れる反射波 を、レーコン３の反射波として検出する。レーコン反射波検出部２０は、検出されたレーコン３の反射波の受信タイミングを、応答遅延取得部２１に出力する。
【００５８】
応答遅延取得部２１は、レーコン反射波検出部２０から入力されるレーコン３の反射波の受信タイミングと、応答信号検出部１６から入力される応答信号の先頭 タイミングと、の時間差を計算することにより、レーコン３の応答遅延を取得する。ここで、レーコン３の応答遅延とは、レーコン３が探知信号を受信してから 応答信号を送信するまでに要する時間である。応答遅延取得部２１は、取得した応答遅延を測位部２２に出力する。
【００５９】
測位部 ２２は、応答時間取得部１９で得られた応答時間と、応答遅延取得部２１で得られた応答遅延と、レーコン方位取得部１８で得られたレーコン３の相対方位と、 方位センサ９２で得られた船首の絶対方位と、位置情報取得部１７で得られたレーコン３の位置情報と、に基づいて、自機の位置（具体的には、緯度及び経度） を求める。
【００６０】
測位の方法は公知であるので簡単に説明すると、測位部２２は、応答時間取得部１９で得られた応答時間から、応 答遅延取得部２１で得られた応答遅延を減算することで、レーダ装置１とレーコン３との間で信号が往復するのに掛かった時間（以下、往復時間と呼ぶことがあ る。）を求める。この往復時間を２で除算し、電波の速度を乗算することで、レーダ装置１とレーコン３との間の距離を求めることができる。また、レーダ装置 １から見たレーコン３の絶対方位は、レーコン方位取得部１８で得られたレーコン３のレーダ装置１に対する相対方位と、方位センサ９２で得られた船首の絶対 方位と、に基づいて求めることができる。
【００６１】
測位部２２は、レーダ装置１とレーコン３との間の距離と、レーダ装置１から見た レーコン３の絶対方位と、位置情報取得部１７で得られたレーコン３の緯度及び経度と、により、レーダ装置１の緯度及び経度を計算により求める。以上によ り、レーコン３を用いた自機の測位を実現することができる。
【００６２】
測位部２２は、得られた自機の緯度及び経度を映像生成部１５ に出力する。映像生成部１５は、生成するレーダ映像と併せて、測位部２２の測位結果を表示部９１に表示する。測位結果の表示方法としては、緯度及び経度の 数値が直接表示されても良いし、その他の方法で表示されても良い。これにより、レーダ装置１のユーザは、表示部９１の画面を見ることで自船の位置を把握す ることができる。
【００６３】
次に、レーダ装置１が送信する探知信号とレーコン３が送信する応答信号との関係について詳細に説明する。図３は、レーダ装置１とレーコン３との間で電波の送受信が行われるタイミングを示すグラフである。
【００６４】
図３の４つのグラフは、１スイープ分の電波の送受信に関して、上から順に、レーダ装置１が送信する探知信号、レーコン３が受信する探知信号、レーコン３が 送信する応答信号、レーダ装置１が受信する応答信号のそれぞれについて、送信／受信のタイミングを示すものである。４つのグラフの全てで、縦軸は信号レベ ル、横軸は時間である。横軸である時間は、４つのグラフの間で対応している。
【００６５】
図３（ａ）に示す時刻ｔ０において、レーダ装置１から、パルス幅がｔPWである探知信号が送信された場合を考える。この探知信号は、図３（ｂ）に示す時刻ｔ１にレーコン３に到達し、レーコン３によって受信される。
【００６６】
図３（ｃ）に示すように、レーコン３は、探知信号を受信すると、パルス状の探知信号の立下がりタイミングである時刻ｔ２を検出する。レーコン３は、検出された時刻ｔ２から、上述の待機時間ｔwだけ待機した時刻ｔ３において、応答信号の送信を開始する。この応答信号は、図３（ｄ）に示す時刻ｔ４にレーダ装置１に到達し、レーダ装置１によって受信される。
【００６７】
このように電波の送受信が行われた場合、レーダ装置１が備える応答時間取得部１９は、レーダ装置１が探知信号を送信した時刻ｔ０と、レーダ装置１が応答信号を受信した時刻ｔ４と、の時間差である応答時間ｔRを測位のために求める。しかしながら、この応答時間ｔRには、レーコン３に探知信号が到達する時刻ｔ１からレーコン３が応答信号の送信を開始する時刻ｔ３までのタイムラグであるレーコン応答遅延ｔRDが含まれている。船舶用のレーコン３において、レーコン応答遅延ｔRDは規格上の上限はあるものの統一されておらず、未知である応答遅延が測位精度を低下させる原因となっている。
【００６８】
この点、本実施形態のレーダ装置１が備えるレーコン反射波検出部２０は、図３（ｄ）に示すように、受信信号において応答信号より早いタイミングで現れる反 射波を、レーコン３で探知信号が反射した反射波として検出する。そして、応答遅延取得部２１は、レーコン３の反射波を受信した時刻ｔ５と、応答信号を受信 した時刻ｔ４と、の時間差を、レーコン応答遅延ｔRDEとして取得する。
【００６９】
反射波のタイムラグはゼロであるので、レーコン反射波検出部２０がレーコン３の反射波を正しく検出できれば、応答遅延取得部２１が取得したレーコン応答遅延ｔRDEは、実際のレーコン応答遅延ｔRDと一致するはずである。本実施形態のレーダ装置１は、測位部２２がレーコン応答遅延ｔRDEを用いて計算を行うことで、精度の良い測位結果を得ることができる。
【００７０】
ただし、応答信号の先頭のタイミングとの時間差が大き過ぎるタイミングで現れる反射波は、レーコン３で探知信号が反射したものではないと考えられる。従っ て、レーコン反射波検出部２０は、応答信号検出部１６から入力された応答信号の先頭タイミング（時刻ｔ４）との時間差が所定以内である反射波だけを、レー コン３の反射波として検出する。この時間差の上限は、上述したレーコン応答遅延の規格による上限に適宜のマージンを加算した値とすることが考えられる。こ れにより、レーコン３の反射波を良好に検出することができる。
【００７１】
また、レーコン３は通常小型に構成されており、殆ど点状の信号反射源であるとみなすことができるので、レーコン３の反射波の幅は、探知信号のパルス幅ｔPWとほぼ等しくなるはずである。そこで、レーコン反射波検出部２０は、現れてから消えるまでの時間ｔRWと、パルス状の探知信号の送信時間であるパルス幅ｔPWと、の差が所定以内である反射波だけを、レーコン３の反射波として検出する。言い換えれば、レーコン３の反射波として検出されるために当該反射波の幅が満たすべき条件が、探知信号のパルス幅ｔPWを範囲内に含む所定の範囲となっている。これにより、レーコン３の反射波をより正確に検出することができる。
【００７２】
次に、応答信号検出部１６による応答信号の先頭タイミングの検出について説明する。
【００７３】
図２に示すように、応答信号のプリアンブル部のうちスタートシーケンスは、１６ビットのＭ系列符号である。このスタートシーケンスは既知であるので、応答信号検出部１６は、スタートシーケンスの符号のレプリカである１６ビットの信号と、受信信号と、の相関を求める。
【００７４】
疑似雑音符号の性質から、レプリカと受信信号とが一致するタイミングが、スタートシーケンスの後に続く情報部の先頭を示している。そこで、応答信号検出部 １６は、レプリカと受信信号との相関が所定の閾値を上回るタイミングから、プリアンブル部の長さである３２ビット分の時間だけ遡ったタイミングを、応答信 号の先頭タイミング（上述の時刻ｔ４）として検出する。これにより、応答信号の先頭タイミングを正確に求めることができる。
【００７５】
以上に説明したように、本実施形態のレーダ装置１は、応答信号検出部１６と、レーコン反射波検出部２０と、応答遅延取得部２１と、を備える。応答信号検出 部１６は、レーダアンテナ１２から送信した探知信号の反射波を受信した受信信号から、前記探知信号に反応してレーコン３が送信する応答信号を検出する。 レーコン反射波検出部２０は、前記受信信号において前記応答信号より早いタイミングで現れる反射波を、レーコン３の反射波として検出する。応答遅延取得部 ２１は、前記反射波の受信タイミングと前記応答信号の受信タイミングとの時間差に基づいて、レーコン３の応答遅延を取得する。
【００７６】
また、本実施形態のレーダ装置１は、レーコン３の応答遅延を以下の方法により取得している。即ち、探知信号の電波をレーダアンテナ１２から送信する。前記 探知信号がレーコン３に反射した反射波をレーダアンテナ１２で受信する。前記探知信号に反応してレーコン３が送信した電波である応答信号をレーダアンテナ １２で受信する。前記反射波の受信タイミングと、前記応答信号の受信タイミングと、の時間差に基づいてレーコン３の応答遅延を取得する。
【００７７】
これにより、機種及び個体差等の原因でレーコン３の応答遅延が様々に異なる場合でも、レーダ装置１が、反射波及び応答信号に基づいて応答遅延をその場で取得することができる。従って、簡素な構成で、レーダ装置１とレーコン３との間の距離を正確に取得することができる。
【００７８】
次に、上記の実施形態の変形例について説明する。図４は、変形例において、複数スイープ分の受信信号から平均が計算され、この平均からレーコンの反射波を 検出する様子を示すグラフである。なお、以下の説明において、上記実施形態と同一又は類似の構成については、要素名に同一の符号を付して説明を省略する場 合がある。
【００７９】
上記の実施形態では、レーコン反射波検出部２０は、１スイープ分の受信信号からレーコン３の反射波を検出して いる。一方、探知信号はレーダアンテナ１２の向きを少しずつ変化させながら反復して送信されるため、図４に示すように、複数のスイープのそれぞれについて レーコン３が応答信号を送信する場合も少なくない。そこで、本変形例では、レーコン反射波検出部２０が、応答信号が含まれる複数スイープの受信信号の信号 レベルについて、統計処理の一種である平均処理を行い、得られた平均値に基づいて、レーコン３の反射波を検出している。
【００８０】
図４には、３つのスイープの受信信号から平均波形を計算した例が示され、この平均波形においては、平均計算前では目立っていたノイズによる反射波が小さくなっていることがわかる。これにより、レーコン３の反射波をより正確に検出することができる。
【００８１】
以上に本発明の好適な実施の形態及び変形例を説明したが、上記の構成は例えば以下のように変更することができる。
【００８２】
応答信号の先頭タイミングの検出は、疑似雑音符号のレプリカと受信信号との相関をとることに代えて、例えば、プリアンブル部の電力を検出し、検出した電力が所定の閾値を上回ったタイミングに基づいて行うこともできる。
【００８３】
レーコン３が送信する応答信号のフォーマットは、図２に示すものに代えて、任意のものを採用することができる。
【００８４】
図４の変形例においては、反射波を検出するために、複数スイープの受信信号の平均を計算する処理が行われている。しかしながら、平均以外の処理、例えば、複数スイープの受信信号の間で相関を計算する処理が行われても良い。
【００８５】
レーダ装置１からの探知信号がレーコン３によって良好に反射するように、レーコン３にリフレクタ等が取り付けられても良い。
【００８６】
レーダ装置１とレーコン３による測位は、単独で用いられても良いし、他の測位装置（例えば、ＧＮＳＳ測位装置）による測位が何らかの理由でできなくなった場合の代替的な手段として用いられても良い。
【符号の説明】
【００８７】
１  レーダ装置
３  レーコン（トランスポンダ）
１２  レーダアンテナ（アンテナ）
１６  応答信号検出部
１７  位置情報取得部
１９  応答時間取得部
２０  レーコン反射波検出部（トランスポンダ反射波検出部）
２１  応答遅延取得部
【図１】
2019049648.tif 000003
【図２】
2019049648.tif 000004
【図３】
2019049648.tif 000005
【図４】
2019049648.tif 000006
【国際調査報告】
2019049648.tif 000007
2019049648.tif 000008
2019049648.tif 000009
2019049648.tif 000010